(57)【要約】【課題】振れの大きさによらず、無理な力が噴射バルブに加わらないようにすることができて、長期間の安定噴霧が可能なエアゾール装置を提供する。【解決手段】揺動可能なステム２１の傾斜により内容物を噴射する噴射バルブ２０をエアゾール容器１０の上端に具備したエアゾール装置において、ステム２１の上端にノズル部材３０を取り付け、そのノズル部材３０に錘３５を設けると共に、エアゾール容器１０の上部に、ノズル部材３０を包囲する筒状のフード４０を取り付け、このフード４０の内壁に、ノズル部材を取り付けたステムの揺動範囲を規制するリブ４５を周方向に等間隔に複数突設した。【選択図】図１
0003103414.tif 000002
【実用新案登録請求の範囲】
【請求項１】
揺動可能なステムの傾斜により内容物を噴射する噴射バルブをエアゾール容器の上端に具備したエアゾール装置において、
前記ステムの上端にノズル部材を取り付け、そのノズル部材に錘を設けると共に、前記エアゾール容器の上部に、前記ノズル部材を包囲する筒状のフードを取り付け、このフードの内壁に、前記ノズル部材を取り付けたステムの揺動範囲を規制する揺動規制部を設けたことを特徴とするエアゾール装置。
【請求項２】
前記揺動規制部として、前記フードの内壁に、複数のリブを周方向に等間隔に突設したことを特徴とする請求項１に記載のエアゾール装置。
【請求項３】
前記ノズル部材に設けた錘の先端面を、ノズル孔を頂点とする半球面に形成したことを特徴とする請求項１または２に記載のエアゾール装置。
【請求項４】
前記フードを、先端に向かって広がったテーパ筒状に形成したことを特徴とする請求項１〜３のいずれかに記載のエアゾール装置。
【請求項５】
前記フードの内部に先端側から装着可能であり、装着時に、前記ノズル部材の先端を覆い且つステムの揺動を阻止するキャップを備えることを特徴とする請求項１〜４のいずれかに記載のエアゾール装置。
【請求項６】
前記噴射バルブには、前記エアゾール容器を上に向けた場合にエアゾール容器内の内容物をバルブ導入口に導く第１通路と、前記エアゾール容器を下に向けた場合にエアゾール容器内の内容物をバルブ導入口に導く第２通路とが設けられていることを特徴とする請求項１〜５のいずれかに記載のエアゾール装置。
【請求項７】
前記エアゾール容器における容器本体の外周壁には、エアゾール容器を振る際に手が滑らないようにする為の滑り止め手段が設けられていることを特徴とする請求項１〜６のいずれかに記載のエアゾール装置。
【考案の詳細な説明】
【技術分野】
【０００１】
本考案は、左右に振ったり振動を与えたりすることで内容物の噴射が可能なエアゾール装置に関する。
【背景技術】
【０００２】
ステムの傾斜（横倒し）により内容物を噴射する噴射バルブを具備したエアゾール装置において、ステムの上端に設けたノズル部材に錘を取り付け、容器を手に持って左右に振ったり、容器に振動を与えたりすることにより、錘の働きでステムを揺動させて、内容物を噴射するようにしたものがある（例えば、特許文献１、特許文献２参照）。
【特許文献１】実公平２−４４８６１号公報
【特許文献２】特開２００１−４８２５５号公報
【考案の開示】
【考案が解決しようとする課題】
【０００３】
ところで、特許文献１，２に示された従来のエアゾール装置は、大きな振動が加わって、錘が横に大きく振れた場合に、ステムを通して噴射バルブに無理な力がかかる可能性があるため、長期間使用している間に噴射性能が損なわれるおそれがあった。
【０００４】
本考案は、上記事情を考慮し、振れの大きさによらず、無理な力が噴射バルブに加わらないようにすることができて、長期間の安定噴霧が可能なエアゾール装置を提供することを目的とする。
【課題を解決するための手段】
【０００５】
請求項１の考案は、揺動可能なステムの傾斜により内容物を噴射する噴射バルブをエアゾール容器の上端に具備したエアゾール装置において、前記ステムの上端にノズル部材を取り付け、そのノズル部材に錘を設けると共に、前記エアゾール容器の上部に、前記ノズル部材を包囲する筒状のフードを取り付け、このフードの内壁に、前記ノズル部材を取り付けたステムの揺動範囲を規制する揺動規制部を設けたことを特徴とする。
【０００６】
請求項２の考案は、請求項１において、前記揺動規制部として、前記フードの内壁に、複数のリブを周方向に等間隔に突設したことを特徴とする。
【０００７】
請求項３の考案は、請求項１または２おいて、前記ノズル部材に設けた錘の先端面を、ノズル孔を頂点とする半球面に形成したことを特徴とする。
【０００８】
請求項４の考案は、請求項１〜３のいずれかにおいて、前記フードを、先端に向かって広がったテーパ筒状に形成したことを特徴とする。
【０００９】
請求項５の考案は、請求項１〜４のいずれかにおいて、前記フードの内部に先端側から装着可能であり、装着時に、前記ノズル部材の先端を覆い且つステムの揺動を阻止するキャップを備えることを特徴とする。
【００１０】
請求項６の考案は、請求項１〜５のいずれかにおいて、前記噴射バルブには、前記エアゾール容器を上に向けた場合にエアゾール容器内の内容物をバルブ導入口に導く第１通路と、前記エアゾール容器を下に向けた場合にエアゾール容器内の内容物をバルブ導入口に導く第２通路とが設けられていることを特徴とする。
【００１１】
請求項７の考案は、請求項１〜６のいずれかにおいて、前記エアゾール容器における容器本体の外周壁には、エアゾール容器を振る際に手が滑らないようにする為の滑り止め手段が設けられていることを特徴とする。
【考案の効果】
【００１２】
請求項１の考案によれば、容器を持って左右に振ったり、左右の振動を加えたりすることにより、錘の重さによる大きなモーメントをステムに加えることができ、ステムを傾斜させて内容物を噴霧することができる。つまり、左右に振るだけで、簡単に噴霧が可能である。また、フードの内壁に設けた揺動規制部により、ステムの傾斜を適正な範囲に抑えることができるので、噴射バルブに無理な力がかからないすることができる。従って、噴射バルブ自体の耐久性を増すことができ、長期にわたる安定噴霧が可能になる。
【００１３】
請求項２の考案によれば、フードの内壁に等間隔に突設したリブによりステムの揺動範囲を規制するので、ステムの揺動範囲を規制することと関係なく、フードの径を自由に広げることができる。従って、噴霧の広がりをフードが邪魔するといったことを無くすことができるし、噴霧がフードに掛かるのを回避することができる。
【００１４】
請求項３の考案によれば、錘の先端面を半球面に形成し、その頂点にノズル孔を設けたので、噴霧の際に万一ノズルに滴が付着した場合でも、半球面に沿って滴を下に容易に落とすことができ、ノズルの周辺に滴が溜まるのを防ぐことができる。
【００１５】
請求項４の考案によれば、フードを、先端に向かって広がったテーパ筒状に形成したので、フードの先端を下にして、平坦な面上（テーブル面や床面上など）にエアゾール装置を逆さまに立てた姿勢で安定的に置くことができる。
【００１６】
請求項５の考案によれば、フードの内部にキャップを装着することで、ステムの揺動を阻止することができるので、不用意にエアゾール装置を振った場合でも、誤った噴射を確実に防止することができる。また、キャップでノズル孔を覆うことにより、ノズル孔へのゴミの付着なども無くすことができるので、衛生的でもある。
【００１７】
請求項６の考案によれば、エアゾール容器を上に向けても下に向けても、内容物を確実に噴霧することができる。従って、上に向けて振ってもよいし、下に向けて振ってもよい。
【００１８】
請求項７の考案によれば、エアゾール容器を振る際に手が滑るのを防止することができるので、容易に噴霧することができる。
【考案を実施するための最良の形態】
【００１９】
以下、図面を参照しながら本考案の実施形態について説明する。
図１は本考案の一実施形態に係るエアゾール装置の要部断面図、図２は図１に示したエアゾール装置のキャップを外した状態を示す要部断面図、図３は図２に示したエアゾール装置の分解図、図４は上に向けた状態でエアゾール容器を左右に振って噴霧している状態を示す要部断面図、図５は下に向けた状態でエアゾール容器を左右に振って噴霧している状態を示す要部断面図である。
【００２０】
図１乃至図３に示すように、本実施形態のエアゾール装置は、エアゾール容器１０と、エアゾール容器１０の上端に着脱自在に装着されたフード４０と、ロッド状のノズル部材３０と、キャップ５０とを有する。
このエアゾール容器１０は、容器本体１１の上端から突出したステム２１の傾斜（横倒し）により、容器本体１１内に封入した内容物Ｍ（図５のみ図示）を外部に噴射する噴射バルブ２０を上部に備えており、フード４０は、エアゾール容器１０のマウンテンカップ１２に嵌着されている。
【００２１】
噴射バルブ２０は、マウンテンカップ１２の中央部の内側に取り付けられたバルブハウジング２２を備えている。バルブハウジング２２の上端とマウンテンカップ１２の上面との間には、ステムラバー２３が挟持されている。ステムラバー２３の中心孔にはステム２１が気密に挿通され、ステム２１の下端部には、径方向外方に張り出した環状壁２１Ａが一体に形成されている。ステム２１は、バルブハウジング２２に内装したバルブスプリング２４により上方へ付勢されており、それにより環状壁２１Ａがステムラバー２３の下面に圧接させられている。
【００２２】
バルブハウジング２２の下部には導入管（バルブ導入口）２２Ａが突設されており、その導入管２２Ａが導入部ハウジング２５の上端に嵌合されている。導入部ハウジング２５には、２本の通路２５Ａ，２５Ｂが形成されている、
即ち、図４に示すように、エアゾール容器１０を上に向けた場合に、エアゾール容器１０内の内容物Ｍをバルブハウジング２２の導入管２２Ａに導く第１通路２５Ａと、図５に示すように、エアゾール容器１０を下に向けた場合に、エアゾール容器１０内の内容物Ｍをバルブハウジング２２の導入管２２Ａに導く第２通路２５Ｂとが形成されている。
【００２３】
ステム２１の内部には、縦（軸線方向）に延びる導出路２１Ｂが設けられ、その導出路２１Ｂの下端に連続させて縦方向に延びるオリフィス孔２１Ｃが設けられている。また、ステム２１の環状壁２１Ａの上側には、一端がオリフィス孔２１Ｃに連通し、他端が環状壁２１Ａとステムラバー２３の圧接面に連通する連通孔２１Ｄが設けられている。
そして、この構造により、ステム２１を横倒しする（傾斜させる）ことにより、傾けた方向の環状壁２１Ａとステムラバー２３との圧接が解放され、容器本体１１内に充填された内容物Ｍが、バルブハウジング２２内を通り連通孔２１Ｄ及びオリフィス孔２１Ｃを介して、ステム２１内の導出路２１Ｂへと導き出されるようになっている。
【００２４】
ロッド状のノズル部材３０は、ステム２１の上端に基端部が連結されることで、ステム２１の延長線上に真っ直ぐ延びており、内部にはステム２１内の導出路２１Ｂと連通する導孔３１が形成されている。ノズル部材３０の導孔３１の先端には、ノズル孔３２Ａを有したノズル３２が固定されており、ステム２１内の導出路２１Ｂを通して導き出されて来た内容物Ｍが、ノズル部材３０内の導孔３１及びノズル孔３２Ａを通して、外部に噴射されるようになっている。
【００２５】
このノズル部材３０の上端には、先端面が半球面３５Ａとして形成された錘３５が一体に設けられており、ノズル孔３２Ａはその半球面３５Ａの頂点に位置している。この錘３５は、ノズル部材３０に大きな揺動モーメントを与えるために形成されたものである。
フード４０は、エアゾール容器１０の上部に、ノズル部材３０を包囲するように装着されている。このフード４０は、樹脂成形されたベル形の部材であり、先端に向かって広がったテーパ筒状をなしている。具体的には、基端の小径筒部４１と、湾曲線の回転形状をなす中間部のテーパ筒部４３と、その先端側の大径筒部４４と、を有している。
【００２６】
そして、小径筒部４１の内周に設けた嵌着部４１Ａをマウンテンカップ１２のリング部に嵌着し、小径筒部４１の外周に設けたスカート部４１Ｂをマウンテンカップ１２の最外周に嵌合することで、エアゾール容器１０の上端に着脱自在に取り付けられている。
このフード４０のテーパ筒部４３の内壁には、ノズル部材３０に取り付けた錘３５の外周縁が当たることで、ノズル部材３を取り付けたステム２１の揺動範囲を規制するための複数のリブ（揺動規制部）４５が一体に設けられている。
【００２７】
これらのリブ４５は、周方向に等間隔で３〜８個程度の数だけ突設されている。各リブ４５は、フード４０の軸線方向に沿った小片状の板体として形成されており、フード４０の先端側に位置する端縁が、キャップ５０を受け止めるために全て位置が揃えられている。また、各リブ４５の内側縁には、装着されたキャップ５０を抜け止めるするための小凹部４６が設けられている。
【００２８】
一方、キャップ５０は、フード４０の内部に先端側から装着可能なものであり、装着時に、ノズル部材３０の先端を覆い且つ錘３５の揺動を阻止する機能を果たす。従って、このキャップ５０には、フード４０の内部空間を閉塞する大きさの円形の蓋板部５１と、蓋板部５１の外周近傍の裏面に軸方向に平行に突設され全てのリブ４５の内側縁に嵌まる筒状の嵌合壁５２と、嵌合壁５２の外周面に形成され各リブ４５の小凹部４６に係合することでキャップ５０を抜け止めする環状突起５３と、蓋板部５１の中央に配置されノズル部材３０の錘３５の先端の半球面３５Ａを覆う半球状壁部５４と、半球状壁部５４の外周位置に沿って裏面側に突設され錘３５の揺動を阻止する筒状のストッパ壁５５と、球面状壁部５４の表面側に突設されたツマミ部５６と、が設けられている。
【００２９】
次に、このような構造を有するエアゾール装置の作用を説明する。
このエアゾール装置を使用する場合は、まず、フード４０内に装着してあるキャップ５０を外す。すると、図２に示すように、ノズル部材３０を拘束するものがなくなるので、ノズル部材３０を自由に揺動させることができる状態なる。
【００３０】
この状態で、エアゾール装置を上に向けたまま手に持って左右に振る（あるいは左右の振動を加えると）と、図４に示すように、錘３５の重さによる大きなモーメントをステム２１に加えることができるので、ステム２１を簡単に揺動させることができて、第１通路２５Ａより導入した内容物Ｍをノズル孔３２Ａから噴霧することができる。
また、図５に示すように、エアゾール装置を下に向けて振っても、同じようにステム２１を揺動させることができるので、第２通路２５Ｂより導入した内容物Ｍをノズル孔３２Ａから噴霧することができる。つまり、左右に振るだけで、簡単に噴霧が可能となる。
【００３１】
更に、このようにエアゾール装置を左右に振ることで噴霧する際には、フード４０の内壁に設けたリブ４５により、ステム２１の揺動範囲を適正な範囲に抑えることができるので、噴射バルブ２０に無理な力がかからないようにすることができる。
従って、噴射バルブ２０自体の耐久性を増すことができ、長期にわたる安定噴霧が可能になる。
【００３２】
また、フード４０の内壁に等間隔に突設したリブ４５により、ステム２１の揺動範囲を規制するので、ステム２１の揺動範囲を規制することと関係なく、フード４０の内径を自由に広げることができる。
従って、噴霧の広がりをフード４０が邪魔するといったことが無く、噴霧がフード４０に掛かるのを回避することもできる。
【００３３】
また、錘３５の先端面を半球面３５Ａとして形成し、その頂点にノズル孔３２Ａを設けているので、噴霧の際に万一ノズル３２に滴が付着した場合でも、半球面３５Ａに沿って滴を下に容易に落とすことができ、ノズル３２の周辺に滴が溜まるのを防ぐことができる。
【００３４】
また、使用後にテーブルの上面などにこのエアゾール装置を置く場合には、フード４０を下にして立てることができる。その際、フード４０は先端に向かって広がったテーパ筒状に形成してあるので、エアゾール装置を逆さまに立てた姿勢で安定的に置くことができる。
【００３５】
また、使用後は、図１に示すように、フード４０の内部にキャップ５０を装着することで、錘３５の揺動つまりはステム２１の揺動を阻止することができる。よって、不用意にエアゾール装置を振った場合でも、誤った噴射を確実に防止することができる。また、キャップ５０でノズル孔３２Ａを覆うので、ノズル孔３２Ａへのゴミの付着なども防止することができ、衛生的な状態に保てる。また、このようにキャップ５０を装着した状態でも、フード４０の中にキャップ５０が完全に隠れるので、フード４０を下に向けて立てる場合でも、キャップ５０が邪魔になることがない。
【００３６】
なお、エアゾール容器１０を持って左右に振る際に容器が手から滑らないようにするために、図３に示すように容器本体１１の外周壁に膨らみ１１ａを設けたり、図６（ａ）に示すエアゾール容器１１０のように、容器本体１１１の外周壁に２段の膨らみ１１１ａ，１１１ｂを設けたり、図６（ｂ）に示すエアゾール容器２１０のように容器本体２１１の周壁にリブ状の凸部２１１ａを設けたりして、滑り止め手段を設けることが望ましい。
【図面の簡単な説明】
【００３７】
【図１】本考案の一実施形態に係るエアゾール装置の要部断面図である。
【図２】図１に示したエアゾール装置のキャップを外した状態を示す要部断面図である。
【図３】図２に示したエアゾール装置の分解図である。
【図４】上に向けた状態でエアゾール容器を左右に振って噴霧している状態を示す要部断面図である。
【図５】下に向けた状態でエアゾール容器を左右に振って噴霧している状態を示す要部断面図である。
【図６】エアゾール容器の他の変形例を示す正面図である。
【符号の説明】
【００３８】
１０，１１０，２１０  エアゾール容器
２０  噴射バルブ
２１  ステム
２２Ａ  導入管（バルブ導入口）
２５Ａ  第１通路
２５Ｂ  第２通路
３０  ノズル部材
３２  ノズル
３２Ａ  ノズル孔
３５  錘
３５Ａ  半球面
４０  フード
４５  リブ（揺動規制部）
５０  キャップ
Ｍ  内容物
【図１】
0003103414.tif 000003
【図２】
0003103414.tif 000004
【図３】
0003103414.tif 000005
【図４】
0003103414.tif 000006
【図５】
0003103414.tif 000007
【図６】
0003103414.tif 000008